(57)【要約】【課題】シートクッションを着座位置より中段跳上げ位置，上段跳上げ位置と数段に切り換えて跳上げ可能でしかも各位置で確実に施錠可能なチップアップロック機構を備える。【解決手段】シートクッションの着座位置用，中段並びに上段跳上げ位置用の切欠歯６ａ〜６ｃをクッションブラケット１の略半円弧形に形成した後部側上縁に設け、切欠歯６ａ〜６ｃと択一に噛合，離脱可能な突起歯７１を下辺に設けたラッチ７と、ラッチ７の上辺に向けるカム８とをバックブラケット２の板面に揺動可能に装着し、カム８の揺動を規制する係止段部７２と、カム８の揺動を許容する窪み部７３とをラッチ７の上辺に設け、カム８の角度向きを鋭角に設定し、レバー操作によりカム８をラッチ７より離脱可能とし、レバー解除によりラッチ７を自重で復帰させるチップアップロック機構を備える。【選択図】図２
2007176394.tif 000002
【特許請求の範囲】
【請求項１】
上方に湾曲するクッションブラケットの後部側をバックブラケットの下部寄りに枢軸で回転可能に取り付けることから、シートクッションを着座位置よりシートバックと相対する上段位置まで跳ね上げられるチップアップ式自動車用シートにおいて、
上記枢軸を中心としてクッションブラケットの後部側上縁を略半円弧形に形成し、該略半円弧形の後側，中腹，前側の順で並ぶシートクッションの着座位置用，中段跳上げ位置用，上段跳上げ位置用の各切欠歯をクッションブラケットの後部側上縁に設け、
クッションブラケットの切欠歯と択一に噛合乃至は離脱可能な突起歯を後部側下辺に設けたラッチと、下部側をラッチの後部側上辺に向けるカムとをバックブラケットの板面に支軸で揺動可能に各々装着し、
カムの揺動を下部側の当接で規制する係止段部と、該係止段部の段部縁より少なくとも切欠歯と突起歯との噛合代分だけ深くてカムの揺動を許容する窪み部とをラッチの後部側上辺に設け、
ラッチの支軸中心とカムの当接点とを結ぶ線を基準に、カムの支軸中心とカムの当接点とを結ぶ線で描く角度の鋭角に相応させてカムの角度向きを設定し、ラッチの突起歯とクッションブラケットの切欠歯との噛合状態を該カムの角度向きで保ち、
レバーの引張り操作により、カムをラッチの窪み部に移動させてラッチの突起歯をクッションブラケットの切欠歯より離脱可能とし、レバーの引張り解除により、ラッチを自重でカムと共に復帰させてラッチの突起歯をクッションブラケットの切欠歯と噛合可能に組み立てたチップアップロック機構を備え付けてなることを特徴とするチップアップ式自動車用シート。
【請求項２】
下部側を半楕円状に形成したカムを備え、カムの下部側が当接する略J字状を呈する係止段部に加え、該係止段部の段部縁より切欠歯と突起歯との噛合代分より深くてカムの下部側と整合する略Ｕ字状を呈する窪み部をラッチの揺動許容兼掛上げ用としてラッチの後部側上辺に設けたチップアップロック機構を備え付けてなることを特徴とする請求項１に記載のチップアップ式自動車用シート。
【発明の詳細な説明】
【技術分野】
【０００１】
本発明は、シートクッションを着座位置よりシートバックと相対する上段位置まで跳上げ可能なチップアップ式自動車用シートに関するものである。
【背景技術】
【０００２】
従来、荷物の載置スペースを車体フロアに確保する等の必要から、シートクッションを着座位置よりシートバックとの相対する上段位置まで跳上げ可能に構成するチップアップ式自動車用シートが知られている。このチックアップ式自動車用シートは、シートクッションを着座位置よりシートバックと相対する上段位置まで一段に跳ね上げて施錠可能なチップアップロック機構を備え付けて構成されている（特許文献１）。
【特許文献１】特開２００５‐２１２５５４
【０００３】
そのチップアップ式自動車用シートにおいては、シートクッションを着座位置より中段の跳上げ位置でもチップアップロック機構で施錠可能に構成すれば、例えば縦長な荷物を車体フロアに載置と共に、小さい荷物を中段位置まで跳ね上げたシートクッションとシートバックとの間に載置する如き荷物の載置形態が取れる。
【発明の開示】
【発明が解決しようとする課題】
【０００４】
本発明が解決しようとする課題は、シートクッションを着座位置より中段跳上げ位置，上段跳上げ位置と数段に切り換えて跳上げ可能でしかも各位置で確実に施錠可能なチップアップロック機構を備え付けてチップアップ式自動車用シートを構成することにある。
【０００５】
それに加えて、シートクッションの跳上げ時に確実に開錠可能なチップアップロック機構を備え付けてチップアップ式自動車用シートを構成することにある。
【課題を解決するための手段】
【０００６】
本願の請求項１に係る発明は、上方に湾曲するクッションブラケットの後部側をバックブラケットの下部寄りに枢軸で回転可能に取り付けることから、シートクッションを着座位置よりシートバックと相対する上段位置まで跳ね上げられるもので、
上記枢軸を中心としてクッションブラケットの後部側上縁を略半円弧形に形成し、該略半円弧形の後側，中腹，前側の順で並ぶシートクッションの着座位置用，中段跳上げ位置用，上段跳上げ位置用の各切欠歯をクッションブラケットの後部側上縁に設け、
クッションブラケットの切欠歯と択一に噛合乃至は離脱可能な突起歯を後部側下辺に設けたラッチと、下部側をラッチの後部側上辺に向けるカムとをバックブラケットの板面に支軸で揺動可能に各々装着し、
カムの揺動を下部側の当接で規制する係止段部と、該係止段部の段部縁より少なくとも切欠歯と突起歯との噛合代分だけ深くてカムの揺動を許容する窪み部とをラッチの後部側上辺に設け、
ラッチの支軸中心とカムの当接点とを結ぶ線を基準に、カムの支軸中心とカムの当接点とを結ぶ線で描くカムの角度向きを鋭角に設定し、ラッチの突起歯とクッションブラケットの切欠歯との噛合状態を該カムの角度向きで保ち、
レバーの引張り操作により、カムをラッチの窪み部に移動させてラッチの突起歯をクッションブラケットの切欠歯より離脱可能とし、レバーの引張り解除により、ラッチを自重でカムと共に復帰させてラッチの突起歯をクッションブラケットの切欠歯と噛合可能に組み立てたチップアップロック機構を備え付けてなることを特徴とする。
【０００７】
本願の請求項２に係る発明は、下部側を半楕円状に形成したカムを備え、カムの下部側が当接する略J字状を呈する係止段部に加え、該係止段部の段部縁より切欠歯と突起歯との噛合代分より深くてカムの下部側と整合する略Ｕ字状を呈する窪み部をラッチの揺動許容兼掛上げ用としてラッチの後部側上辺に設けたチップアップロック機構を組み付けてなることを特徴とする。
【発明の効果】
【０００８】
本願の請求項１に係る発明では、レバーの引張り操作によりカムをラッチから引上げ揺動すると、カムの下部側がラッチの係止段部より少なくとも切欠歯と突起歯との噛合代分だけ深い窪み部に移動し、ラッチの突起歯がクッションブラケットの切欠歯より離脱可能で互いの噛合状態を解除できるため、シートクッションを着座位置より中段跳上げ位置，上段跳上げ位置のいずれにも跳ね上げられるようになる。
【０００９】
シートクッションの中段跳上げまたは上段跳上げと共に、レバーの引張りを解除すると、ラッチがカムと共に自重で復帰し、カムの下部側がラッチの係止段部に当接することから、ラッチの突起歯がクッションブラケットの切欠歯と噛合状態に保たれる。また、カムの角度向きがラッチの支軸中心とカムの当接点とを結ぶ線を基準に、カムの支軸中心とカムの当接点とを結ぶ線で描く鋭角に設定されていることから、カムがラッチの係止段部に対するつかい棒的作用を発揮し、ラッチが揺動不能にカムで押え込まれるため、シートクッションを着座位置より中段跳上げ位置，上段跳上げ位置といずれに跳ね上げても、ラッチの突起歯とクッションブラケットの切欠歯との噛合状態を確実に保てる。
【００１０】
本願の請求項２に係る発明では、カムの半楕円状に形成した下部側が当接する略J字状を呈する係止段部に加え、係止段部の段部縁より切欠歯と突起歯との噛合代分より深くてカムの下部側と整合する略Ｕ字状を呈する窪み部をラッチの後部側上辺に設けることから、レバーの引張り操作によりカムをラッチの窪み部に移動すると、カムの下部側がラッチの窪み部と嵌り合い、カムがラッチを大幅に掛け上げるため、レバーの引張り操作によりラッチの突起歯をクッションブラケットの切欠歯との噛合状態から確実に解除できる。
【発明を実施するための最良の形態】
【００１１】
図示実施の形態は、図１で示すようにクッションブラケット１をサイドフレームに組み立てられたシートクッションと、バックブラケット２をサイドフレームに組み立てられたシートバックとを備え、上方に湾曲するクッションブラケット１の後部側をバックブラケット２の下部寄りに枢軸３で回転可能に取り付けることから、シートクッションを着座位置よりシートバックと相対する上段位置まで跳ね上げられるチップアップ式自動車用シートとして構成されている。
【００１２】
そのチップアップ式自動車用シートは、上端寄りをクッションブラケット１の前寄り下部に支軸４ａで枢着したスタンド脚部４を備え、このスタンド脚部４の下端部を車体フロアＦの下段側ｆ１で後部寄りに設置した受け座４ｂに係合させて斜めに立脚することから、シートクッションを着座姿勢に保つ。また、バックブラケット２を車体フロアＦの上段側ｆ２に立設したベースブラケット５で保持させてシートバックを車体フロアＦの上段側ｆ２に立て付けることによるフロア直付けに設置されている。
【００１３】
そのチップアップ式の自動車用シートには、図２で示すように枢軸３を中心として後部側上縁を略半円弧形に形成すると共に、複数の切欠歯６ａ，６ｂ，６ｃを後部側上縁に設けたクッションブラケット１に対するチップアップロック機構が組み付けられている。クッションブラケット１の切欠歯としては、シートクッションの着座戻り位置用６ａ，中段跳上げ位置施錠用６ｂ，上段跳上げ位置施錠用６ｃが略円弧形の後側，中腹，前側の順で並ぶよう設けられている。
【００１４】
チップアップロック機構は、ラッチ７，カム８を備えて組み立てられている。ラッチ７は、前部側７ａをバックブラケット２の板面に支軸７０で枢着することからクッションブラケット１の後部側より上方に揺動可能に取り付けられている。カム８は、下部側８ａをラッチ７の後部側７ｂの上辺に向けて略中腹をバックブラケット２の板面に支軸８０で枢着することから上方に揺動可能に取り付けられている。
【００１５】
ラッチ７には、切欠歯６ａ〜６ｃと択一に噛合乃至は離脱可能な突起歯７１が後部側７ｂの下辺に設けられている。突起歯７１は、中段跳上げ位置施錠用の切欠歯６ｂ，上段跳上げ施錠位置用の切欠歯６ｃと確実な噛合いを保てるよう前後に亘る二つで形成されている。なお、切欠歯６ａはラッチ７の突起歯７１をシートクッションの着座戻り位置で受け入れるものとして設けられている。
【００１６】
その突起歯７１の他に、カム８の下部側８ａが当接する係止段部７２，カム８の揺動を許容する窪み部７３がラッチ７の後部側７ｂの上辺に設けられている。カム８の窪み部７３は、突起歯７１が切欠歯６ａ〜６ｃから外れる逃げ空間を保つよう係止段部７２の段部縁より少なくとも切欠歯６ａ〜６ｃと突起歯７１との噛合代分だけ深く窪ませて設ければよい。
【００１７】
カム８の角度向きはラッチ７の係止段部７２との関係から、図３で示すようにラッチ７の支軸中心Ｏ１とカム８の当接点Ｐとを結ぶ線Ｌ１を基準に、カム８の支軸中心Ｏ２とカム８の当接点Ｐとを結ぶ線Ｌ２で描かれる角度θの鋭角を保つよう設定されている。これにより、カム８がラッチ７の係止段部７２に対するつかい棒的作用を発揮するため、ラッチ８の突起歯８１をクッションブラケット１の切欠歯７ｂ，７ｃと確実な噛合状態に保てる。その基準線Ｏ１は、係止段部７２の底面を突起歯７１に近づかせて形成することからラッチ７の支軸中心Ｏ１より後方に向って下り勾配の斜線となるよう設定するとよい。
【００１８】
図示実施の形態では、カム８として下部側８ａを半楕円形に形成したものが備えられている。このカム８の下部形状から、ラッチ７の係止段部７２はカム８の当接する略J字状を呈するよう形成されている。その略Ｊ字の底面は、カム８の下部側８ａを少なくとも半分以上受けられる弯曲面に形成することから、カム８の下部側８ａをラッチ７の係止段部７２に当接させて安定よく受け止められる。
【００１９】
ラッチ７の窪み部７３は、係止段部７２の段部縁より切欠歯６ａ〜６ｃと突起歯７１との噛合代分より深くてカム８の下部側８ａと整合する略Ｕ字状を呈するよう形成されている。このラッチ７の窪み部７３は、カム８がラッチ７の係止段部７２より外れて揺動することを許容すると共に、カム８の下部側８ａが嵌り込んでラッチ７をクッションブラケット１の後部側から上方に掛上げ揺動するものとして形成されている。そのカム８の揺動により、ラッチ７の突起歯７１が切欠歯６ａ〜６ｃとの噛合状態から確実に解除するまでラッチ７を引き上げられる。
【００２０】
カム８としては、上部側８ｂが中腹辺より前方に折れ曲る略くの字状を呈するものが備えられている。カム８の上部側８ｂには、引張り力を作用するワイヤケーブル９の片ワイヤ端が連結されている。そのワイヤケーブル９は、他ワイヤ端が操作レバー１０（図１参照）に連結されている。操作レバー１０は乗員が手で引出し揺動することからカム８に引張り力を作用するものとしてシートクッションの前寄り下部に備え付けられている。この操作レバー１０によると、乗員が手を掛けることによる引張り操作と共に、シートクッションの跳上げ操作をワンモーションで共に行える。
【００２１】
上述したスタンド脚部４は、図４で示すように片バネ端を支軸４ａによる枢着位置よりも上端側に連結し、他バネ端をシートブラケット（図示せず）の前方側に連結する引張バネ１１により、シートクッションの下部を収納方向として引張支持されている。このスタンド脚部４は、片ワイヤ端１２ａを支軸による枢着位置よりも上端側に連結し、シートクッション側の後方に伸びるワイヤケーブル１２でシートバック側に連結されている。
【００２２】
シートバック側では、図５で示すように他ワイヤ端１２ｂがバックフレームの適宜個所に立設する掛止め片１３で挿通支持されている。このワイヤ端１２ｂは球状のエンドストップとして形成し、ワイヤ軸線を掛止め片１３の板面に挿通させて掛止め片１３より突出し方向にズレ可能に取り付けられている。
【００２３】
そのワイヤケーブル１２は、図６ａで示すシートクッションの着座位置から、図６ｂで示す中段跳あげの直前位置まで引張バネ１２（図１参照）に抗してスタンド脚部４を立脚方向に引張り、一方、図６ｃで示すシートクッションの中段から上段の跳上げ位置でスタンド脚部４の引張りを解除するよう配線されている。これにより、シートクッションの着座戻しに伴うスタンド脚部４の立脚出し、シートクッションの跳上げに伴うスタンド脚部４の収納と連動させられる。なお、ケーブルチューブ１２ｃとしては全長がコンペセータで伸び縮み可能なものが用いられている。
【００２４】
このように構成するチップアップ式自動車用シートでは、乗員が操作レバー１０を引張り操作すると、図７で示すように上方の引張力がワイヤケーブル９を介してカム８に作用する。その引張力により（以下、各図の紙面上で説明する。）、カム８が支軸８０を中心に時計回りに揺動し、カム８の下部側８ａがラッチ７の係止段部７２から外れて窪み部７３に移動する。
【００２５】
カム８の下部側８ａがラッチ７の窪み部７３に移動すると、図８で示すようにカム８の下部側８ａがラッチ７の窪み部７３に嵌り込ことから、ラッチ７が支軸７０を中心に、ラッチ７を反時計方向の上方に掛け上げる。このラッチ７は、窪み部７３が係止段部７２の段部縁より切欠歯６ａ〜６ｃと突起歯７１との噛合代分より深く形成されているため、ラッチ７の突起歯７１がシートブラケット１の切欠歯６ａとの噛合状態から確実に解除される。
【００２６】
そのラッチ７の解除と共に、乗員が操作レバー１０を持ったままで、図９で示すようにシートクッションを前部側より上方に跳ね上げる。このシートクッションの跳上げを中段位置に設定する場合、図１０で示すようにシートクッションを所定の中段跳上げ位置まで持ち上げたならば、操作レバー１０から手を離せばよい。この中段跳上げ位置では、スタンド脚部４がシートクッションの下部側に収納されている。
【００２７】
乗員が操作レバー１０より手を話すと、図１１で示すようにラッチ７が支軸７０を中心に自重で揺動戻りすると共に、カム８もラッチ７に連れられて係止段部７２に揺動戻りする。
【００２８】
そのラッチ７，カム８の戻りが完了すると、図１２で示すようにラッチ７の突起歯７１が中段跳上げ位置用の切欠歯６ｂに噛合し、カム８がラッチ７の係止段部７２に対するつかい棒的作用を発揮するため、ラッチ８の突起歯８１がクッションブラケット１の切欠歯７ｂと確実な噛合状態に保たれる。このクッションブラケット１に対するラッチ７，カム８による施錠状態から、荷物を中段跳上げ状態のシートクッションとシートバックとの間に載置しても、シートクッションは荷物の荷重に耐えられる。
【００２９】
上述したと同じレバー操作から、図１３で示すようにシートクッションをシートバックと相対する上段位置まで跳ね上げても、図１４で示すようにラッチ７の突起歯７１が上段跳上げ位置用の切欠歯６ｃに噛合することから、上述したと同様のクッションブラケット１に対するラッチ７，カム８による施錠状態が得られる。
【００３０】
シートクッションの跳上げ位置から着座位置に戻すときも、上述したと同じレバー操作により、クッションブラケット１に対するラッチ７，カム８による施錠を解除し、乗員が操作レバー１０を持ったままでシートクッションを前倒しすればよい。そのシートクッションが中段位置を過ぎて下端位置に至る前に、スタンド脚部５も下端部が受け座に嵌るよう立脚出しするようになる。
【図面の簡単な説明】
【００３１】
【図１】本発明に係るチップアップ式自動車用シートを概略的に示す側面図である。
【図２】図１の自動車用シートに備えられるチップアップロック機構を示す側面図である。
【図３】図２のチップアップロック機構における施錠状態を原理的に示す説明図である。
【図４】図１のチップアップ式自動車用シートに備えられるスタンド脚部を示す側面図である。
【図５ａ】図５のワイヤケーブルによるスタンド脚部の引張状態をシートバック側で示す説明図である。
【図５ｂ】図５のワイヤケーブルによるスタンド脚部の引張解除途上状態をシートバック側で示す説明図である。
【図５ｃ】図５のワイヤケーブルによるスタンド脚部の引張解除状態をシートバック側で示す説明図である。
【図６】図２のチップアップロック機構の開錠動きを示す説明図である。
【図７】図７のチップアップロック機構の開錠状態を示す説明図である。
【図８】図８のチップアップロック機構の開錠に伴うシートクッションの跳上げ手順を示す説明図である。
【図９】図１のチップアップ式自動車用シートの中段跳上げ状態を示す説明図である。
【図１０】図９のチップアップロック機構の施錠戻りを示す説明図である。
【図１１】図２のチップアップロック機構によるシートクッションの中段跳上げ位置における施錠状態を示す側面図である。
【図１２】図１のチップアップ式自動車用シートの上段跳上げ状態を示す説明図である。
【図１３】図２のチップアップロック機構によるシートクッションの上段跳上げ位置における施錠状態を示す側面図である。
【符号の説明】
【００３２】
１            クッションブラケット（シートクッション）
２            バックブラケット（シートバック）
３            クッションブラケットの枢軸
６ａ，６ｂ，６ｃ    クッションブラケットの切欠歯
７            ラッチ
７ａ          ラッチの前部側
７ｂ          ラッチの後部側
７０          ラッチの支軸
７１          ラッチの突起歯
７２          ラッチの係止段部
７３          ラッチの窪み部
８            カム
８０          カムの支軸
８ａ          カムの下部側
１０          カムの操作レバー
Ｏ１          ラッチの支軸中心
Ｏ２          カムの支軸中心
Ｐ            カムの当接点
Ｌ１          ラッチの支軸中心とカムの当接点とを結ぶ線
Ｌ２          カムの支軸中心とカムの当接点とを結ぶ線
【図１】
2007176394.tif 000003
【図２】
2007176394.tif 000004
【図３】
2007176394.tif 000005
【図４】
2007176394.tif 000006
【図５ａ】
2007176394.tif 000007
【図５ｂ】
2007176394.tif 000008
【図５ｃ】
2007176394.tif 000009
【図６】
2007176394.tif 000010
【図７】
2007176394.tif 000011
【図８】
2007176394.tif 000012
【図９】
2007176394.tif 000013
【図１０】
2007176394.tif 000014
【図１１】
2007176394.tif 000015
【図１２】
2007176394.tif 000016
【図１３】
2007176394.tif 000017